(57)【要約】      （修正有）【課題】紙缶・鉄管・樹脂管等の何れにも対応可能で、経済的で作業性が良く誰でも容易に固着出来る分割フランジ付スリーブコネクターを提供する。【解決手段】適宜な幅寸法を有し、フランジ部を一体に有する円筒状本体を設け、該円筒状本体は軸方向に分割し、円筒状本体の一端部には所定寸法のせぎり加工部を設け、密着時にスリーブコネクターの円筒状本体を重合接合して長手方向に移動調整可能とし、密着時に貫通スリーブの外径寸法に適合する内径寸法を有し、該スリーブコネクターのフランジ部に設けた複数の係止部の係止穴部に、釘等の係止部材をそれぞれ固着して設け、両端フランジ部にスリーブコネクターを圧縮して密着させる為の把持部を二箇所それぞれ設け、スリーブコネクターの端面を型枠に固着時は、スリーブコネクターの内周面を、貫通スリーブの外周面に密着し、係止部材でそれぞれ固着する。【選択図】図１
0003125031.tif 000002
【実用新案登録請求の範囲】
【請求項１】
鉄筋コンクリートの梁・床・壁等の構造材を貫通するスリーブ孔を形成する建築工事であって、相対向する型枠（ＣＰ）間に、配置する貫通スリーブをそれぞれ固定するスリーブコネクター（1）において、適宜な幅寸法（Ｌ）を有し、且つ、フランジ部（２ｂ）を一体に有する円筒状本体（２）を設け、該円筒状本体（２）は、軸方向に分割し、円筒状本体（２）の一端部には所定寸法（Ｘ）のせぎり加工部（２ａ）を設け、密着時にスリーブコネクターの円筒状本体（２）を重合接合して長手方向に移動調整可能とし、且つ、密着時に、貫通スリーブ（ＨＳ）の外径寸法（ｄ）に適合する内径寸法（Ｄ）を有し、且つ、該スリーブコネクター（1）のフランジ部（２ｂ）に設けた、複数の係止部（３）の係止穴部（３ａ）に、釘等の係止部材（５）をそれぞれ固着して設け、且つ、両端フランジ部（２ｂ）にスリーブコネクター（1）を圧縮して密着させる為の把持部（４）（４）を二箇所それぞれ設け、且つ、スリーブコネクター（1）の端面を型枠（ＣＰ）に固着時は、スリーブコネクター（1）の内周面を、貫通スリーブ（ＨＳ）の外周面に密着し、係止部材（５）でそれぞれ固着する事を特徴とする分割フランジ付スリーブコネクター。
【考案の詳細な説明】
【技術分野】
【０００１】
この考案は、分割フランジ付スリーブコネクターに関するものである。
【背景技術】
【０００２】
従来、紙缶ボイド（貫通スリーブ）の場合、梁型枠より若干短く切断したボイドの端部にガムテープを貼り、押し込んで釘止めするが、紙缶ボイドを直接釘止めする為、切断幅に余裕が無く、押し込む際に変形若しくは損傷していた。
【０００３】
又、鉄管スライドスリーブの場合、縮めた鉄管スリーブを梁中で伸ばし釘止めする場合、容易に挿入出来るが、仕上がり貫通孔に鉄管スリーブや釘が残存する為、錆や腐食が発生する等の問題が指摘されている。
【０００４】
そこで、これまでに出願されている貫通スリーブに関する特許文献を参考の為、紹介する。（特許文献1〜３参照。）
【特許文献１】特開平７−１４５８８３
【特許文献２】特開平７−１５１２７０
【特許文献３】特開平７−２３９０５９
【考案の開示】
【考案が解決しようとする課題】
【０００５】
そこで、上記課題を解決する為に、この考案は紙缶・鉄管・樹脂管等の何れにも対応可能で経済的であり、且つ、作業性が良く誰でも容易に固着出来る分割フランジ付スリーブコネクターを開発・提供する事にある。
【課題を解決するための手段】
【０００６】
この課題を解決する為の手段として、適宜な幅寸法を有し、且つ、フランジ部を一体に有する円筒状本体を設け、該円筒状本体は、軸方向に分割し、円筒状本体の一端部には所定寸法のせぎり加工部を設け、密着時にスリーブコネクターの円筒状本体を重合接合して長手方向に移動調整可能とし、且つ、密着時に、貫通スリーブの外径寸法に適合する内径寸法を有し、且つ、該スリーブコネクターのフランジ部に設けた、複数の係止部の係止穴部に、釘等の係止部材をそれぞれ固着して設け、且つ、両端フランジ部にスリーブコネクターを圧縮して密着させる為の把持部を二箇所それぞれ設け、且つ、スリーブコネクターの端面を型枠に固着時は、スリーブコネクターの内周面を、貫通スリーブの外周面に密着し、係止部材でそれぞれ固着するものである。
【考案の効果】
【０００７】
この考案の効果として、適宜な幅寸法を有し、且つ、フランジ部を一体に有する円筒状本体を設け、該円筒状本体は、軸方向に分割し、円筒状本体の一端部には所定寸法のせぎり加工部を設け、密着時にスリーブコネクターの円筒状本体を重合接合して長手方向に移動調整可能とし、且つ、密着時に、貫通スリーブの外径寸法に適合する内径寸法を有し、且つ、該スリーブコネクターのフランジ部に設けた、複数の係止部の係止穴部に、釘等の係止部材をそれぞれ固着して設け、且つ、両端フランジ部にスリーブコネクターを圧縮して密着させる為の把持部を二箇所それぞれ設け、且つ、スリーブコネクターの端面を型枠に固着時は、スリーブコネクターの内周面を、貫通スリーブの外周面に密着し、係止部材でそれぞれ固着する事で、作業性の飛躍的向上と労務費軽減を図り、且つ、繰り返し使用を可能にする事でコスト軽減し、省エネルギーへの貢献等、極めて有益なる効果を奏するものである。
【考案を実施するための最良の形態】
【０００８】
この考案の最良の形態として、スリーブコネクター開放時と密着時の内径寸法の変化量及び把持部間ピッチの寸法設定は、作業性・メンテナンス性・経済性等を考慮した最適寸法にする事が重要である。
【実施例１】
【０００９】
そこで、この考案の一実施例を図１〜図２に基づいて詳述すると、鉄筋コンクリートの梁・床・壁等の構造材を貫通するスリーブ孔を形成する建築工事であって、相対向する型枠（ＣＰ）間に、配置する貫通スリーブをそれぞれ固定するスリーブコネクター（1）において、適宜な幅寸法（Ｌ）を有し、且つ、フランジ部（２ｂ）を一体に有する円筒状本体（２）を設け、該円筒状本体（２）は、軸方向に分割し、円筒状本体（２）の一端部には所定寸法（Ｘ）のせぎり加工部（２ａ）を設け、密着時にスリーブコネクターの円筒状本体（２）を重合接合して長手方向に移動調整可能とし、且つ、密着時に、貫通スリーブ（ＨＳ）の外径寸法（ｄ）に適合する内径寸法（Ｄ）を有し、且つ、該スリーブコネクター（1）のフランジ部（２ｂ）に設けた、複数の係止部（３）の係止穴部（３ａ）に、釘等の係止部材（５）をそれぞれ固着して設け、且つ、両端フランジ部（２ｂ）にスリーブコネクター（1）を圧縮して密着させる為の把持部（４）（４）を二箇所それぞれ設け、且つ、スリーブコネクター（1）の端面を型枠（ＣＰ）に固着時は、スリーブコネクター（1）の内周面を、貫通スリーブ（ＨＳ）の外周面に密着し、係止部材（５）でそれぞれ固着する事を特徴とする分割フランジ付スリーブコネクターから構成される。
【００１０】
次に、この考案の材質及び寸法形状について説明すると、まず材質は樹脂製で一体形成されていて、寸法形状は梁の幅や使用する用途に応じた様々なものが有り、本実施例で紹介するものは、図１・２に示す様に外径寸法がΦ１００ｍｍの貫通スリーブに適合するもので、スリーブコネクター嵌着時の内径寸法がΦ１００ｍｍで、幅寸法が５０ｍｍで、円筒部及びフランジ部（２ｂ）の板厚寸法が２ｍｍで、フランジ部には板厚２０ｍｍの係止部が４箇所設けられ、該係止部には、釘（Φ２ｍｍ×Ｌ３０ｍｍ）がそれぞれ固着されている。尚、上記スリーブコネクター密着時の内径寸法は、この他にΦ１２５ｍｍ、Φ１５０ｍｍ、Φ１７５ｍｍ、Φ２００ｍｍ（オプション対応）がある。又、フランジ部（２ｂ）に設けた２箇所の半円形状の切欠部（２ｂ'）はスリーブコネクターを装着する際に、折り曲げ捻り易くしたものである。
【００１１】
又、図２はスリーブコネクター（１）（商品名：ボイドコネクター）の開放状態時と貫通スリーブ（ＨＳ）（商品名：ハーフボイド）へ密着時の比較図を示し、スリーブコネクター（１）を貫通スリーブ（ＨＳ）へ密着する時は、２箇所の把持部（４）（４）を手で摘み、双方の把持部（４）（４）を内向きに圧縮して密着し、係止部（３）の係止穴部（３ａ）に固着された釘等の係止部材（５）を型枠（ＣＰ）にそれぞれ打設して固着する。
【００１２】
又、図３（Ａ）は、左右一対に組み合わせた半円二分割型貫通スリーブ（ＨＳ）と、分割フランジ付スリーブコネクター（１）を、梁部に装着した時の断面図を示し、半円二分割型貫通スリーブ（ＨＳ）のジョイントアングル部（ＪＡ）上下には、複数箇所ジョイントピース（ＪＰ）を密着する事で、円筒形を保持している。
【００１３】
そして、図４は梁型枠部に半円二分割型貫通スリーブ（ＨＳ）と分割フランジ付スリーブコネクター（１）を装着し、モルタル（Ｍ）で固めた後に、半円二分割型貫通スリーブ（ＨＳ）と分割フランジ付スリーブコネクター（１）を剥離する要領手順を示す。
【００１４】
まず、最初に左右両側面に設けた型枠（ＣＰ）（コンクリートパネル）を剥がし、型枠（ＣＰ）に打設した釘等の係止部材（５）をペンチ等で抜き取り、左右両側面の分割フランジ付スリーブコネクター（１）を取り外す。
【００１５】
そして、次に左右の半円二分割型貫通スリーブ（ＨＳ）を結合している複数のジョイントピース（ＪＰ）を上部側のみ抜き取り、最後に半円二分割型貫通スリーブ（ＨＳ）のジョイントアングル部（ＪＡ）にドライバー等の工具（Ｔ）を差し込んで、下方へ折り曲げて捻りながら取り出す。
【産業上の利用可能性】
【００１６】
この考案の分割フランジ付スリーブコネクターは、紙缶・鉄管・樹脂管等の何れにも対応可能で経済的であり、且つ、作業性が良く誰でも容易に固着出来る為、多くの土木建築
市場に寄与する点で産業上の利用可能性を有する。
【図面の簡単な説明】
【００１７】
【図１】この考案の一実施例を示し、（Ａ）は平面図で、（Ｂ）は正面図で、（Ｃ）は図１（Ｂ）のａ−ａ矢視一部欠截断面図である。
【図２】この考案の一実施例を示し、スリーブコネクター開放時と嵌着時を示す、何れも正面図である。
【図３】この考案の使用例を示し、貫通スリーブの両端に密着し、コンクリート打設用型枠にそれぞれ固着時の断面図である。
【図４】この考案の使用例を示し、半円二分割型柔軟樹脂貫通スリーブ剥離要領手順を示す正面図及び断面図である。
【符号の説明】
【００１８】
１  スリーブコネクター
２  円筒状本体
２ａ  せぎり加工部
２ｂ  フランジ部
２ｂ’  切欠部
３  係止部
３ａ  係止穴部
４  把持部
５  釘等の係止部材
ＣＰ  型枠
ｄ  貫通スリーブの外径寸法
Ｄ  スリーブコネクター密着時の内径寸法
Ｄ’  スリーブコネクター開放時の内径寸法
ＨＳ  半円二分割型柔軟樹脂貫通スリーブ
ＪＡ  ジョイントアングル部
ＪＰ  結合部材（ジョイントピース）
Ｍ  モルタル
Ｔ  抜き取り用工具
Ｘ  所定寸法
【図１】
0003125031.tif 000003
【図２】
0003125031.tif 000004
【図３】
0003125031.tif 000005
【図４】
0003125031.tif 000006